(57)【要約】  同調質量ダンパは、振り子質量１０２に結合される１つ以上の回転磁気ダンパ１０８を使用して形成され得る。このように形成される同調質量ダンパは、人工構造体の動きを抑制するために使用され得る。同調質量ダンパの質量３０８は、振り子質量の大きさを調整することによって調整され得る。同調質量ダンパの固有振動数は、振り子質量の質量中心から振り子の回動点までの距離を調整することによって同調され得る。抑制されるべき動きは、例えば波、地震、又は、風などの環境要因によって発生される場合がある。
2014511466.tif 000002
【特許請求の範囲】
【請求項１】
ベース構造体に結合できるように構成される振り子質量と、
前記振り子質量に結合されることにより、前記振り子質量と前記振り子質量が結合される前記ベース構造体との間の相対的な動きを制振し、それにより、前記ベース構造体の動きを制振する回転磁気ダンパと、
を備える、構造体用のダンパ。
【請求項２】
前記振り子質量は、剛性キャリアと、前記剛性キャリアにより支持されるモジュール質量とを含む請求項１のダンパ。
【請求項３】
前記振り子質量が固有振動数によって特徴付けられ、前記振り子質量がその固有振動数を調整できるように構成される請求項１のダンパ。
【請求項４】
制振要素の固定要素と移動要素との間で、前記振り子質量と前記ベース構造体との間で生じるよりも大きな角度動作を制振要素に受けさせるように構成される動作増幅器を更に備える請求項１のダンパ。
【請求項５】
前記動作増幅器が遊星ギアボックスを備える請求項４のダンパ。
【請求項６】
前記回転磁気ダンパが環状導体と嵌合されるロータを含む請求項１のダンパ。
【請求項７】
前記振り子質量を前記構造体に結合するための結合要素を更に備え、前記結合要素は、
前記構造体と強固に係合するための第１のヒンジと、
前記第１のヒンジに対して９０°を成して方向付けられ、前記振り子質量と強固に係合するための第２のヒンジと、
前記第１のヒンジと前記第２のヒンジとを接続するとともに、４つのシャフト端を含むクロスシャフトと、
を備え、
前記ダンパが４つの前記回転磁気ダンパを含み、前記各回転磁気ダンパがロータとステータとを含み、前記回転磁気ダンパのそれぞれの前記ロータは、前記シャフト端と協働して移動するために４つの前記シャフト端のうちの異なる１つに結合され、前記回転磁気ダンパのうちの２つの前記ステータが前記第１のヒンジに結合され、それにより、前記構造体と前記クロスシャフトとの間の相対動作に応じた対応する前記回転磁気ダンパのロータとステータとの間の第１の軸周りの相対回転を可能にし、前記回転磁気ダンパのうちの他の２つの前記ステータが前記第２のヒンジに結合され、それにより、前記クロスシャフトと前記振り子質量との間の相対動作に応じた対応する前記回転磁気ダンパのロータとステータとの間の第２の軸周りの相対回転を可能にする、
請求項１のダンパ。
【請求項８】
前記振り子質量は、モジュール質量を担持する剛性ケージを含む請求項７のダンパ。
【請求項９】
前記モジュール質量がスチールプレートを含む請求項８のダンパ。
【請求項１０】
人工構造体と、
ダンパと、
を備え、前記ダンパは、剛性キャリアにより支持されるモジュール質量を含む振り子質量と、前記振り子質量を前記構造体に結合するための結合要素とを含み、前記結合要素は、前記構造体と強固に係合するための第１のヒンジと、前記第１のヒンジに対して９０°を成して方向付けられ、前記振り子質量と強固に係合するための第２のヒンジと、前記第１のヒンジと前記第２のヒンジとを接続するとともに、４つのシャフト端を含む中間要素とを含み、
前記ダンパが４つの前記回転磁気ダンパを含み、前記各回転磁気ダンパがロータとステータとを含み、前記回転磁気ダンパのそれぞれの前記ロータは、前記シャフト端と協働して移動するために４つの前記シャフト端のうちの異なる１つに結合され、前記回転磁気ダンパのうちの２つの前記ステータが前記第１のヒンジに結合され、それにより、前記構造体と前記中間要素との間の相対動作に応じた対応する前記回転磁気ダンパのロータとステータとの間の第１の軸周りの相対回転を可能にし、前記回転磁気ダンパのうちの他の２つの前記ステータが前記第２のヒンジに結合され、それにより、前記中間要素と前記振り子質量との間の相対動作に応じた対応する前記回転磁気ダンパのロータとステータとの間の第２の軸周りの相対回転を可能にし、前記シャフト端と前記回転磁気ダンパとの間の結合は、前記シャフト端の回転速度と比べて前記回転磁気ダンパのロータの回転速度を増大させる遊星ギアボックスを含む、装置。
【請求項１１】
振り子質量を構造体に結合するステップと、
前記振り子質量を回転磁気ダンパに結合することにより、前記振り子質量と前記構造体との間の相対的な動きを制振し、それにより、前記構造体の絶対動作を制振するステップと、
を備える方法。
【請求項１２】
振り子質量を前記構造体に結合する前記ステップは、剛性キャリアにより支持されるモジュール質量を結合するステップを含む請求項１１の方法。
【請求項１３】
前記振り子質量を支持要素から吊り下げて、前記支持要素からの前記振り子質量の質量中心の距離を調整するステップを更に備える請求項１１の方法。
【請求項１４】
制振要素の固定要素と移動要素との間で、前記振り子質量と前記ベース構造体との間で生じるよりも大きな角度動作を制振要素に受けさせるステップを更に備える請求項１１の方法。
【請求項１５】
動作を増幅させる前記ステップは、遊星ギアボックスを使用して前記構造体と前記振り子質量との間の相対動作の角速度を増加させることを含む請求項１４の方法。
【請求項１６】
回転磁気ダンパを結合する前記ステップは、環状導体と嵌合される回転磁気ダンパを結合することを含む請求項１１の方法。
【請求項１７】
前記振り子質量を結合要素を介して前記構造体に結合するステップであって、前記結合要素が、前記構造体と強固に係合するための第１のヒンジと、前記第１のヒンジに対して９０°を成して方向付けられ、前記振り子質量と強固に係合するための第２のヒンジと、前記第１のヒンジと前記第２のヒンジとを接続するとともに、４つのシャフト端を含む中間要素とを含む、ステップと、
４つの前記回転磁気ダンパのそれぞれのロータを前記シャフト端と協働して移動するように４つの前記シャフト端のうちの異なる１つに結合し、前記回転磁気ダンパのうちの２つのステータを前記第１のヒンジに結合することにより、前記構造体と前記中間要素との間の相対動作に応じた対応する前記回転磁気ダンパのロータとステータとの間の第１の軸周りの相対回転を可能にするとともに、前記回転磁気ダンパのうちの他の２つのステータを前記第２のヒンジに結合することにより、前記中間要素と前記振り子質量との間の相対動作に応じた対応する前記回転磁気ダンパのロータとステータとの間の第２の軸周りの相対回転を可能にする、ステップと、
を更に備える請求項１１の方法。
【請求項１８】
振り子質量を結合する前記ステップは、モジュール質量を取り囲む剛性ケージを結合するステップを含む請求項１７の方法。
【請求項１９】
振り子質量を結合する前記ステップは、スチールプレートを備えるモジュール質量を結合するステップを含む請求項１８の方法。
【請求項２０】
剛性キャリアにより支持されるモジュール質量を含む振り子質量を結合要素を介して結合するステップであって、前記結合要素が、
前記構造体と強固に係合されるための第１のヒンジと、前記第１のヒンジに対して９０°を成して方向付けられ、前記振り子質量と強固に係合されるための第２のヒンジと、前記第１のヒンジと前記第２のヒンジとを接続するとともに、４つのシャフト端を含む中間要素とを含む、ステップと、
ロータとステータとを含む４つの前記回転磁気ダンパのそれぞれの前記ロータを前記シャフト端と協働して移動するように４つの前記シャフト端のうちの異なる１つに結合するステップと、
前記回転磁気ダンパのうちの２つのステータを前記第１のヒンジに結合することにより、前記構造体と前記中間要素との間の相対動作に応じた対応する前記回転磁気ダンパのロータとステータとの間の第１の軸周りの相対回転を可能にするステップと、
前記回転磁気ダンパのうちの他の２つのステータを前記第２のヒンジに結合することにより、前記中間要素と前記振り子質量との間の相対動作に応じた対応する前記回転磁気ダンパのロータとステータとの間の第２の軸周りの相対回転を可能にするステップと、
を更に備え、
前記シャフト端と前記回転磁気ダンパとの結合は、前記シャフト端の回転速度と比べて前記回転磁気ダンパのロータの回転速度を増大させる遊星ギアボックス及びシャフトカプラを使用して前記シャフト端と前記回転磁気ダンパとの間を結合するステップを含む、
請求項１１の方法。
【発明の詳細な説明】
【技術分野】
【０００１】
開示される主題は、特に高層ビル、橋、及び、タワーなどの人工構造体における望ましくない動きを制振することに関する。
【背景技術】
【０００２】
風及び他の環境要因、例えば水の波作用や地震は、人工構造体をそのような構造体の驚かされる潜在的に危険な揺れを減らすように建設するべく建設業者に促してきた。環境に誘発される構造的移動を減らすための１つの手法は、同調質量ダンパ（ＴＭＤ）の使用である。ＴＭＤは、振動エネルギーを熱へと散逸して、共鳴振動が危険なレベルに達することを防止する。同調質量ダンパは、一般に、移動質量と、スプリング機構と、ダッシュポット機構とを含む。スプリング及び質量は、制振されるべき振動モードの固有振動数よりも設計により僅かに小さい固有振動数をもたらす。ＴＭＤは、ＴＭＤのダッシュポット要素によりエネルギーが熱へと散逸される場合には振動エネルギーをそれ自体に引きつけるべくベース構造体のターゲットモードと相互に作用する。しばしば“ダンパ”とも呼ばれるダッシュポットは、それにわたる相対速度に比例する力をそれを通じて生み出す装置である。建物又は他の土木構造物のためのＴＭＤにおいて、質量は、一般に、スプリング及びダッシュポットを介してベース構造体に接続される大きなコンクリート又はスチール体である。
【０００３】
１９７７年に建てられたＮｅｗ  Ｙｏｒｋ  ＣｉｔｙのＣｉｔｉｃｏｒｐビルディングは、同調質量ダンパを用いて動きを減らす最初の超高層ビルのうちの１つであった。台湾の台北にあるタイペイ１０１タワーは、振り子として吊り下げられるとともにＴＭＤの上端にある振り子固定具とＴＭＤの下端にある大規模な液圧ダンパとを介して建物に接続される７３０トンの５．４８６メートル（１８フィート）直径のスチール球を使用する。その機能は、風や地震を含む環境的な力に対する建物の応答を減少させることである。このＴＭＤは、建物の揺れを３０〜４０％減らす。
【０００４】
既存のＴＭＤシステムは構造的な揺れをある程度軽減するが、これらのシステムは、一般に、自動車用のショックアブソーバーに類似するがそれよりも大きい液圧ダンパをそれらのダッシュポット要素として使用する。液圧ダンパは、土木構造物に必要な長い耐用年数にわたって漏れやすい加圧粘性油を使用する。そのようなダンパによって使用される有機材料、エラストマー材料、又は、液状材料は、経時的に劣化する場合がある。液圧ダンパで使用される油の粘性は常に温度に影響される。それに伴う粘性変化により、ダンパは、野外温度の一般的な範囲にわたって最適な態様で動作することが困難になる。
【０００５】
タイペイ１０１により使用されるような液圧シリンダは、ＴＭＤ質量の動きを受け入れるべくかなり長くなければならず、そのため、ＴＭＤのための大きな“設置面積”をベース構造体内で受け入れることが困難になる場合がある。線形（並進）液圧ダッシュポットは、移動質量の重量を支持するインタフェースに加えて、ベース構造体に対するそれら自体のインタフェースを必要とする。これにより、ＴＭＤのベース構造体への組み込みが複雑になる。加えて、液圧ダッシュポットを使用するＴＭＤのシール及び流体においては定期的なメンテナンスが必要とされる。
【０００６】
建物用のＴＭＤは、しばしば、振り子の形態を成し、その場合、振り子長さと組み合わされる重力がスプリング機構を与える。ＴＭＤ質量がワイヤーロープによって支持される場合には、これら及びそれらの端部取付具が疲れに晒されて寿命が制限される場合がある。他の手法は複雑な能動部品を含む場合があり、そのため、費用が嵩み、メンテナンス労力が増大するとともに、信頼性が低下する場合がある。
【発明の概要】
【課題を解決するための手段】
【０００７】
特許請求される主題の原理にしたがった例示的な装置及び方法において、回転磁気ダンパは、振り子として吊り下げられる質量（本明細書中では“振り子質量”とも称される）に結合され、それにより、質量が吊り下げられるベース構造体の動きを抑制することができる。
【０００８】
例示的な実施例において、振り子質量の固有揺動振動数は、質量中心から質量の回動点までの距離を調整することにより、更には揺動質量のその質量中心周りの慣性モーメントを調整することにより同調され得る。振り子質量は、例えば、質量の吊り下げ点を通る単一の水平回動軸に対して垂直な単一の垂直面内で或いはそれぞれが質量の吊り下げ点を通る複数の垂直面内で自由に揺動することができる。動きを複数の方向で抑制するために複数の回転磁気ダンパが振り子質量に結合され得る。
【０００９】
例示的な実施例では、質量を剛性アセンブリによって支持することができ、この剛性アセンブリは、アセンブリが少なくとも１つの平面内で移動できるようにするジョイントを介して人工構造体に結合できるように構成される。例示的な実施例では、アセンブリがケージを含むことができ、また、ジョイントがユニバーサルジョイントであることができ、このユニバーサルジョイントは、ユニバーサルジョイントの中心点を通る任意の水平軸周りでケージに支持された質量が自由に揺動できるようにする。そのような実施例において、質量は、モジュールであることができ、また、ダンパを好ましい質量に調整するために質量に付加され或いは質量から取り去られ得る例えば複数のスチールプレート又は他の形状の錘から形成され得る。特許請求される主題の原理にしたがって、ケージは、同調質量ダンパの固有振動数を同調させるための調整機構を含んでもよい。モジュール質量が剛性ケージにより支持される実施例において、質量は、例えば、同調質量ダンパの振動数を調整するためにケージの底部から異なる距離で移動され得る。ケージ内の質量の分布は、質量中心を通る様々な方向の軸周りの質量の慣性モーメントを変えることにより装置の固有振動数を更に同調させるべく調整され得る。
【００１０】
例示的な実施例において、１つ以上の回転磁気ダンパは、ケージを支持する構造体に対するケージの回転に応じて回転磁気ダンパのロータを回転させるように、質量を収容する剛性ケージに結合され得る。回転速度、したがってそのような回転磁気ダンパによって引き起こされる制振は、例えば、ダンパの回転要素を振り子質量よりも速い速度又は遅い速度で回転させるベルトドライブ又はギアシステムなどの動作増幅器によって変えられ得る。
【００１１】
例示的な実施例では、新規のタイプのユニバーサルジョイントが、スチールプレートの積層体などのモジュール質量を収容するケージなどの剛性構造体と、ケージの回転に応じて作用する回転磁気ダンパの系とを吊り下げる。そのような例示的な実施例において、ユニバーサルジョイントは、風、水の波、又は、地震などの環境要因に応じてベース構造体が揺れるときに振り子質量がベース構造体と位相がずれて且つベース構造体よりも大きい振幅で移動できるようにするために使用され得る。そのような実施例では、ユニバーサルジョイントが第１のヒンジを含むことができ、この第１のヒンジは、一方側がベース構造体に強固に結合され、他方側が中間要素に強固に接続される。この実施例は、第１のヒンジの軸に対して９０°を成して方向付けられる軸を有する第２のヒンジを有することができ、この場合、第２のヒンジの一方側が中間要素に強固に結合され、他方側が振り子質量に強固に結合される。そのようなユニバーサルジョンイトの中間要素は、第１及び第２のヒンジの一部としてのクロスシャフトを含むことができ、クロスシャフトは４つのシャフト端を含む。例示的な実施例では、それぞれがロータとステータとを含む４つの回転磁気ダンパをユニバーサルジョイントのクロスシャフトに結合することができ、この場合、回転磁気ダンパのそれぞれのロータは、シャフト端と協働して移動するように４つのシャフト端のうちの異なる１つに結合される。加えて、回転磁気ダンパのうちの２つのステータをベース構造体に強固に結合することができ、それにより、構造体と中間要素との間の相対的な回転動作に応じて、対応する回転磁気ダンパのロータが第１の軸周りに回転される。他の２つの回転磁気ダンパのステータを強固に中間要素に結合することができそれにより、中間要素と振り子質量との間の相対的な回転動作に応じて、対応する回転磁気ダンパのロータが第２の軸周りに回転される。
【００１２】
例示的な実施例において、ユニバーサルジョイントのシャフトは、例えばギアボックス、チェーン、又は、ベルトドライブなどの動作増幅要素を介して回転磁気質量ダンパに結合され得る。そのような要素により、回転磁気ダンパのロータは、振り子質量が吊り下げられるベース構造体と振り子質量自体との間の相対回転よりも大きい回転を実行する。例示的な実施例では、スチールケージ内のモジュール質量がスチールプレート又は他の形状の錘を含み、また、ケージ内に収容される全体の質量は、同調質量ダンパが望ましい質量を有するようにするべくスリールプレートをケージに加える或いはケージから取り去ることによって調整され得る。振り子の有効長、すなわち、移動質量の質量中心からユニバーサルジョイントの回動軸の交差部までの距離は、吊り下げられたケージ／質量系により形成される振り子の固有振動数を同調させるべく調整され得る。ケージ内の質量の分布を、移動質量のその質量中心周りの慣性モーメントを変えるように調整することができ、それにより、振り子固有振動数を同調させる二次的な手段が達成される。
【００１３】
特許請求される主題の原理にしたがった人工構造体が同調質量ダンパを含むことができ、この同調質量ダンパは、同調質量ダンパが取り付けられるベース構造体の動きを抑制するために振り子質量に結合される１つ以上の回転磁気ダンパを含む。そのようなベース構造体は、例えば、太陽光集光タワー、集風タワー、石油掘削プラットフォーム又は石油圧送プラットフォーム、橋支持タワー、或いは、商業的建物、工業的建物、住居用建物、又は、複合的建物であり得る。
【００１４】
本発明の原理にしたがった同調質量ダンパは、液圧ダンパにおいて見られるような漏れる場合がある含有流体又は機能しなくなる場合があるシールを排除することができ、また、主に金属から構成され、それにより、経時的に劣化し得る有機材料、エラストマー材料、又は、液状材料を排除することができる。また、適切に設計された回転磁気ダンパでは速度と力との間の関係が非常に線形であるため、特許請求される主題の原理にしたがった同調質量ダンパは、制振が最も必要とされるとき、及び、液圧ダンパがそれらの非線形特性に起因してあまり効果的でないときに、高速で更に効果的となり得る。また、特許請求の範囲に記載される主題の原理にしたがった同調質量ダンパは、経時的に比較的安定であり、加えて、外部電源又はインテリジェント制御を必要としない。加えて、特許請求の範囲に記載される主題の原理にしたがった磁気制振要素は、速度と力との比率又は回転速度とトルクとの比率が液圧ダンパのように温度に伴ってあまり変化しない。
【００１５】
以下の図を参照して、非限定的で非包括的な実施例について説明する。この場合、同様の参照符号は、他に指示されなければ、様々な図の全体にわたって同様の部分を示す。
【図面の簡単な説明】
【００１６】
【図１】特許請求される主題の原理にしたがった同調質量ダンパの一実施例のブロック図である。
【図２】特許請求される主題の原理にしたがった制振プロセスの一実施例のフローチャートである。
【図３】図３Ａ及び図３Ｂは、特許請求される主題の原理にしたがった振り子同調質量ダンパの一実施例の斜視図である。
【図４】図３に示される結合要素の一実施例の斜視図である。
【図５Ａ】図４に示される結合要素の水平断面図である。
【図５Ｂ】図５Ａに示されるスパイダーブロック及びシャフトの分解図である。
【図５Ｃ】図５Ａに示されるスパイダーブロック、シャフト、及び、プレートの拡大水平断面図である。
【図６】図６Ａ，６Ｂ，６Ｃ，６Ｄは、図３に示される回転磁気制振要素及び速度増幅装置の斜視図である。
【図７】図３に示される振り子同調質量ダンパの質量の調整を示す斜視図である。
【図８】特許請求される主題の原理にしたがった振り子同調質量ダンパを含むタワー構造体の斜視図である。
【発明を実施するための形態】
【００１７】
特許請求される主題を特定の実施例に関して説明するが、本明細書中に記載される利点及び特徴の全てを与えない実施例を含む他の実施例もこの発明の範囲内に入る。本発明の趣旨又は範囲から逸脱することなく、様々な構造的変更、論理的変更、及び、プロセスステップ変更をなすことができる。フローチャートは、削除され或いは改変され得るステップを含むことができ、また、特定のフローチャート内に記載されるシーケンスは、本発明の範囲内にとどまりつつ改変され得る。コンパス方位への言及は、単なる例示目的のために意図されており、特許請求の範囲に記載される主題の原理にしたがって例示の実施例の方向又は例示の実施例の要素を限定しようとするものではない。したがって、本発明の範囲は、添付の特許請求の範囲を参照することによってのみ規定される。
【００１８】
図１のブロック図は、特許請求の範囲に記載される主題の原理にしたがった同調質量ダンパ１００の一実施例の要素を示している。この例示的な実施例において、振り子質量１０２は、振り子質量１０２が少なくとも１つの平面内で自由に揺動できるようにするカップリング１０６を介して取り付け要素１０４に結合される。取り付け要素１０４と振り子質量１０２との間の相対的な動きに抵抗するように回転磁気ダンパ１０８がカプラ１０６に接続される。振り子質量１０２、取り付け要素１０４、カップリング１０６、及び、回転磁気ダンパ１０８の例示的な実施例を以下の図に関連する議論において更に詳しく説明する。
【００１９】
例示的な実施例において、取り付け要素１０４は、ソーラーコレクタータワーなどの人工構造体に強固に取り付けられ得る。そのような用途では、取り付け要素１０４がプラットフォームを与えることができ、このプラットフォームから結合要素１０６及び回転軸ダンパ１０８が吊り下げられる。取り付け要素１０４は、人工構造体に対して強固に取り付けられるが、それが取り付けられる構造体に呼応して動く。強風、波、又は、地震などの環境要因に応じて構造体が揺れれば、取り付け要素１０４は、構造体の動きと同相で構造体と共に揺れる。結合要素１０６は、振り子質量１０２が構造体から垂れ下がって１つ以上の平面内で取り付け要素１０４に対して自由に揺動できるようにする。ベース構造体が外力に起因してそれ自体の固有振動数で周期的動作を伴って動くと、同調質量ダンパの質量要素が取り付け要素に対して移動できる。同調質量ダンパがベース構造体の固有振動数よりも僅かに小さい特定の値に調整されるそれ自体の固有振動数を有するため、同調質量ダンパは、ＴＭＤ１００の質量が接続要素１０４及びベース構造体よりも大きい振幅を伴って移動するようにベース構造体と動的に相互作用する。これは、ベース構造体とＴＭＤ質量要素１０２との間の大きな相対動作を引き起こす。カプラー要素１０６は、磁気制振要素１０８のロータのステータに対する大きな回転を生み出すためにギアなどの動作増幅要素を含む。回転ダンパの磁気要素は、ロータとステータとの間の相対角速度に比例し且つ相対角速度と反対のドラグトルクを生み出し、それにより、組み合わされた系の振動のエネルギーが熱へと散逸される。ダンパの作用は、ベース構造体の揺れ動作に抗してこの揺れ動作を減少させる。同調質量ダンパの振動数が構造体の固有振動数に対して正確に同調されることにより、ベース構造体のその休止位置からの極端な偏位が抑制される。
【００２０】
図２のフローチャートは、特許請求される主題の原理にしたがった構造体動作制振プロセスの一実施例を示している。個々のステップ及び関連する構造体を以下の他の図に関連する議論において更に詳しく説明する。プロセスは、ステップ２００で始まり、そこからステップ２０２へと進み、ステップ２０２では、構造体のために振り子質量が与えられる。ステップ２０４では、振り子質量が少なくとも１つの平面内で自由に移動できるようにする態様で、振り子質量が構造体に結合される。重力の作用は、振り子質量をその動作範囲内に中心付けた状態に保つ傾向にある効果的な剛性（すなわち、“スプリング”要素）を与える。例示的な実施例において、振り子質量は、この質量が任意の垂直面内で自由に揺動できるようにする態様で構造体に対して結合される。すなわち、そのような実施例では、質量の動きがコンパスの任意の方位で限られた円弧を規定することができる。ステップ２０４から、プロセスがステップ２０６へと進み、このステップ２０６では、回転磁気ダンパがエネルギーを熱として散逸することにより構造体の動きを制振できるようにする態様で、回転磁気ダンパが振り子質量に結合される。例示的な実施例では、４つの回転磁気ダンパが振り子質量に結合され、それにより、ダンパは、任意のコンパス方位で起こり得る構造体の動きを制振できる。ステップ２０６から、プロセスがステップ２０８での終了へと進む。
【００２１】
例示的な実施例において、振り子質量は、剛性ケージにより担持されるモジュール質量を含むことができ、また、質量モジュールを加える或いは取り去ることによって質量の大きさが調整され得る。そのような質量モジュールは例えばスチールプレートの形態を成し得る。そのような実施例において、振り子質量を含む振り子の固有振動数は、モジュール質量の質量中心と結合要素の回転点との間の距離を調整することによって同調され得る。また、振り子の振動数は、全体の質量が不変であっても、ケージ内での質量の分布を調整して移動質量のそれ自体の質量中心周りの慣性モーメントを変えることによって同調され得る。
【００２２】
図３Ａ及び図３Ｂの斜視図は、特許請求される主題の原理にしたがった同調質量ダンパ３００の例示的な実施例の図を与える。図３Ａ及び図３Ｂにおいて、例示的な取り付け要素３０２は、実質的に、その動きがダンパ３００によって制振されるようになっている人工構造体内の支持構造体へ挿入して支持構造体と嵌め合い係合するように構成されるボックスの状態へと形成される剛性スチールビームから構成される。この例示的な実施例において、取り付け要素３０２はリベット又はボルトを受け入れるための開口を含み、これらのリベット又はボルトを用いて同調質量ダンパ３００が人工構造体に接続され得る。
【００２３】
図３Ａ及び図３Ｂの例示的な実施例では、４つの回転磁気ダンパ３０４Ｎ，３０４Ｓ，３０４Ｅ，３０４Ｗが構成される。回転磁気ダンパ３０４Ｎ，３０４Ｓはベース構造体の動きを東西方向で制振する。回転磁気ダンパ３０４Ｅ，３０４Ｗは動きを南北方向で制振する。例えば北東〜南西などの他の方向の動きは、４つの全ての回転磁気ダンパによって制振される。前述したように、コンパス方位は、単なる説明の便宜のために言及される。特許請求の範囲に記載される主題の原理にしたがった質量ダンパは、その想定し得る方向が限定されない。
【００２４】
回転磁気ダンパ３０４Ｎ，３０４Ｓ，３０４Ｅ，３０４Ｗのロータは、ダンパ３００が取り付けられるベース構造体に対して同調質量ダンパの質量要素と共に回転するシャフトに結合される。クロスシャフトに対するロータの結合は、回転磁気ダンパのロータとステータとの間の相対角速度がベース構造体と振り子質量との間の相対角速度よりも大きくなるように回転動作を増幅させる例えばギアボックスなどの要素を介し得る。この例示的な実施例では、剛性ケージ３０６がモジュール質量３０８を支持する。この例示的な実施例において、ケージ３０６は、モジュール質量３０８を形成するスチールプレート３０９の積層体を取り囲むスチールチューブ又はスチールバー３０７を含む。プレート３０９をモジュール質量３０８に加えて或いはモジュール質量３０８から取り去って、ダンパ３００にとって望ましい移動質量を得ることができる。ダンパ３００の固有振り子振動数は、ケージの底部３１０からの質量３０８の距離を調整することによって同調され得る。そのような振動数調整は、例えば、油圧ジャッキを用いてケージ底部３１０から質量３０８を持ち上げることにより、随意的には、適切な質量中心位置が得られると直ぐに所定位置で質量にシムを入れることによって達成され得る。また、振動数調整は、ケージ３０６及びプレート積層体３０８を含む移動質量全体のその組み合わせ質量中心周りの慣性モーメントを変えることによって達成され得る。ケージ内で質量３０８を持ち上げると、両方の効果を有することができる。すなわち、それによって、有効振り子長さを変えることができるとともに、移動質量全体３０６，３０８のその組み合わせ質量中心周りの慣性モーメントを変えることもできる。
【００２５】
以下で更に詳しく説明するように、磁気回転ダンパのそれぞれのステータは、同調質量ダンパ３００が取り付けられる構造体に呼応して移動するように取り付け要素３０２に（直接的に或いは間接的に）結合され、また、磁気回転ダンパのそれぞれのロータは、振り子質量（この場合には、質量３０８及びケージ３０６）に呼応して回転するように振り子質量に対して直接的に或いは間接的に結合される。この例示的な実施例において、結合要素３１２は、図４に関する議論において更に詳しく説明されるユニバーサルタイプのジョイントアセンブリである。僅かに上向きの斜視図を与える図３Ｂは、結合要素３１２と回転磁気ダンパ３０４Ｎ，３０４Ｓ，３０４Ｅ，３０４Ｗとの間の接続をより明確に示している。
【００２６】
図４は、結合要素３１２のより詳細な図を与える。この例示的な実施例では、剛性構造体、この場合にはモジュール質量３０８を収容するケージ３０６を吊り下げるためにユニバーサルジョイントが使用される。そのような例示的な実施例において、ユニバーサルジョイントは、風、水の波、又は、地震などの環境要因に応じて建物が様々な方向に揺れるときに振り子質量が任意の垂直面内で建物に対して揺動できるようにするために使用され得る。振り子質量が任意の垂直面内で揺動できるようにすることにより、建物又は他のベース構造体の任意の方向の水平揺れ動作を制振することができる。そのような実施例では、以下で更に説明するように、ユニバーサルジョイントは、本明細書ではスパイダーブロックと名付けられる中間要素４０８に対してベース構造体を結合する第１のヒンジを含む。また、ユニバーサルジョイントは、第１のヒンジに対して９０度を成して方向付けられる軸を有する第２のヒンジも含む。第２のヒンジは、スパイダーブロック４０８を振り子質量に接続する。そのようなユニバーサルジョイントは、第１及び第２のヒンジの一部であるクロスシャフトの系を含んでもよい。
【００２７】
図４，５Ａ，５Ｂ，５Ｃを参照すると、例示的な実施例では、それぞれがロータ及びステータを含む４つの回転磁気ダンパ３０４Ｅ，３０４Ｗ，３０４Ｎ，３０４Ｓがユニバーサルジョイントに結合され、この場合、各回転磁気ダンパのロータは、シャフトのうちの１つの一端に結合されて、そのシャフト端と協働して回転する。磁気ダンパ３０４Ｅ，３０４Ｗのロータは、スパイダーブロック４０８を完全に貫通して延びる長いクロスシャフト５０２の端部に結合される。振り子質量３０６が南北方向に揺動すると、東西に向けられる長いクロスシャフト５０２は、振り子質量と共に回転するとともに、スパイダーブロック４０８に対して回転する。長いクロスシャフト５０２は、スパイダーブロック４０８の東西側のカウンターボア付きの凹部内に装着される転動体ベアリング５０４Ｅ，５０４Ｗ内で回転する。振り子質量の純然たる南北揺動においては、スパイダーブロック４０８が移動しない。磁気ダンパ３０４Ｎ，３０４Ｓのロータのそれぞれは、短いクロスシャフト５００Ｎ，５００Ｓのうちの一方の外端に接続する。２つの短いクロスシャフト５００Ｎ，５００Ｓは、同軸であり、南北に向けられるとともに、いずれもスパイダーブロック４０８に強固にピン留めされて、図５Ｃに示されるようにそれぞれがスパイダーブロック４０８に半分未満まで突き通る。短いクロスシャフト５００Ｎ，５００Ｓは、上側ハンガープレート４０２内に装着される転動体ベアリング５０４Ｎ，５０４Ｓのそれぞれの内部で回転する。振り子質量の純然たる東西揺動において、スパイダーブロック４０８及び振り子質量は、短いクロスシャフト５００Ｎ，５００Ｓにより規定される軸を中心に一緒に回転する。
【００２８】
図４の例示的な実施例において、上側ハンガープレート４０２は、短いクロスシャフト５００Ｎ，５００Ｓをそれぞれ支持する転動体ベアリング５０４Ｎ，５０４Ｓを含む。短いクロスシャフト５００Ｎ，５００Ｓは、スパイダーブロック４０８内へ突き通って、スパイダーブロック４０８に強固に固定され、それにより、上側ヒンジ又は第１のヒンジを形成する。上側ハンガープレート４０２は、吊り下げ要素３０２への取り付けのためにネジ穴をそれらの上面に含む。
【００２９】
下側ハンガープレート４１０は、振り子質量のケージ３０６に強固に固定される。スパイダーブロック４０８は、その東西側のカウンターボアのそれぞれに転動体ベアリング５０４Ｅ，５０４Ｗを装着する。長いクロスシャフト５０２は、スパイダーブロック４０８を全体にわたって貫通して延びるとともに、スパイダーブロック４０８に埋め込まれるベアリング５０４Ｅ，５０４Ｗ上で回転し、それにより、下側ヒンジ又は第２のヒンジを形成する。下側又は第２のヒンジの軸は、上側又は第１のヒンジの軸に対して垂直である。例示的な実施例において、下側ヒンジの軸は、スパイダーブロック、回転磁気ダンパ３０４Ｗ，３０４Ｅ、及び、これらの２つのダンパを駆動させるギアボックスの寄与度に起因して東西方向で揺動するための回転慣性が更に大きくなり得るという事実にもかかわらず、東西方向及び南北方向の固有揺動振動数を等しくするために、上側ヒンジの軸に対して僅かに下方へ変位され得る。下側ハンガープレート４１０は、長いクロスシャフト５０２にスプライン結合され、したがって、振り子質量３０６が南北方向に揺動する際に長いクロスシャフト５０２と共に回転する。下側ハンガープレート４１０は、振り子質量のケージ３０６に対して強固に締結される。
【００３０】
この例示的な実施例において、北回転磁気ダンパ３０４Ｎ及び南回転磁気ダンパ３０４Ｓのステータは、遊星ギアボックス４１２Ｎ，４１２Ｓのハウジングにそれぞれ強固に取り付けられる。遊星ギアボックス４１２Ｎ，４１２Ｓのハウジングのフートプレートは、上側ハンガープレート４０２に強固に固定される取り付けブラケット４１４に強固に固定される。この例示的な実施例において、振り子質量の東西方向の揺動は、南北に向けられる短いクロスシャフト５００Ｎ，５００Ｓの軸を中心とするスパイダーブロック４０８の回転を引き起こす。スパイダーブロック４０８及び強固に取り付けられた短いクロスシャフト５００Ｎ，５００Ｓの回転は、ギアボックス４１２Ｎ，４１２Ｓを介して、北回転磁気ダンパ３０４Ｎ及び南回転磁気ダンパ３０４Ｓのロータへ伝えられる。ロータの回転が図４に矢印により示されている。動作中、遊星ギアボックス４１２Ｎ，４１２Ｓは、同調質量ダンパが取り付けられる構造体の東／西方向の動きの更に大きな渦電流制振をもたらすために、振り子質量及びスパイダーブロック４０８の回転動作を増幅させる。
【００３１】
同様に、東西回転磁気ダンパ３０４Ｅ，３０４Ｗのロータは、遊星ギアボックス４１２Ｅ，４１２Ｗを介して、長いクロスシャフト５０２の東西端部に結合される。振り子質量の南北方向の揺動は、スパイダーブロック４０８に埋め込まれるベアリング内での長いクロスシャフト５０２の回転を引き起こす。この例示的な実施例において、東西回転磁気ダンパ３０４Ｅ，３０４Ｗのステータは、結局トルクチューブ４１１に強固に装着される東遊星ギアボックス４１２Ｅ及び西遊星ギアボックス４１２Ｗのハウジングに固定されてこれらのハウジングにより支持される。トルクチューブ４１１はスパイダーブロック４０８に強固に固定される。この例示的な実施例において、回転磁気ダンパ３０４Ｅ，３０４Ｗのステータは、振り子質量３０６の東／西揺動に応じてスパイダーブロック４０８と共に移動する。回転磁気ダンパ３０４Ｅ，３０４Ｗのロータは、示唆されるように、ベース構造体に対する振り子質量３０６の任意の南／北揺動に伴って回転する。遊星ギアボックス４１２Ｅ，４１２Ｗは、それらの渦電流制振を高めるために、回転磁気ダンパ３０４Ｅ，３０４Ｗのそれぞれのロータの回転速度を増幅させる。
【００３２】
図５は、結合要素３１２の例示的なユニバーサルジョイント実施例の断面図を与える。この例示的な実施例において、ユニバーサルジョイントに結合されるシャフトは、ギアボックスを介して、回転磁気質量ダンパに結合され得る。ギアボックスにより、回転磁気ダンパのロータとステータとの間の相対角速度がＴＭＤ装着要素３０２と振り子質量との間の相対角速度よりも大きくなり、したがって、効果的な制振が高められる。結合要素３１２は、スパイダーブロック４０８と、ギアボックス４１２Ｎ，４１２Ｓ，４１２Ｅ，４１２Ｗと、回転磁気ダンパ３０４Ｎ，３０４Ｓ，３０４Ｅ，３０４Ｗと、４つの同一のシャフトカプラ４１６と、ハンガープレート４０２とスパイダーブロック４０８との間の第１の或いは上側ヒンジと、スパイダーブロック４０８と下側ハンガープレート４１０との間の第２の或いは下側ヒンジとを含む。
【００３３】
この例示的な実施例において、南北回転磁気ダンパ３０４Ｎ，３０４Ｓは、スパイダーブロック４０８に対して強固にピン留めされ或いはボルト締結される短いクロスシャフト５００Ｎ，５００Ｓによって駆動され、スパイダーブロック４０８は、前述したように、ハンガープレート４０２から吊り下げられた状態で東／西方向の相対的な構造的動作に応じて回転する。上側ハンガープレート４０２の転動体ベアリングは短いクロスシャフト５００Ｎ，５００Ｓを支持する。この例示的な実施例における東西回転磁気ダンパ３０４Ｅ，３０４Ｗは、下側ハンガープレート４１０にスプライン結合される長いクロスシャフト５０２によりギアボックス４１２Ｅ，４１２Ｗを介して駆動される。長いクロスシャフト５０２はスパイダーブロック４０８の転動体ベアリング５０４Ｅ，５０４Ｗによって支持される。前述したように、東西回転磁気ダンパ３０４Ｅ，３０４Ｗは、スパイダーブロック４０８に対する振り子質量３０６の回転動作によって駆動される。
【００３４】
図６Ａ〜図６Ｄは、回転磁気ダンパ６００の更に詳細な図を与える。図６Ａは、回転ダンパ６００と、動作増幅遊星ギアボックス４１２と、シャフトカプラ４１６とから成る４つの同一のアセンブリのうちの１つを描いている。図６Ｃは、そのようなダンパ６００のそのハウジングの一部が除去された状態のステータを描いている。この例示的な実施例では、永久磁石６０８，６１０の２つの同心リングがダンパ６００のステータを形成する。各リングは、永久磁石材料とアルミニウムなどの非磁性材料との交互の環状セグメントから構成される。磁石セグメントは径方向で分極されており、その場合、極性が径方向内側と径方向外側との間で交互になってリングの周囲で進む。内側磁石リング６０８及び外側磁石リング６１０のいずれも、回転ダンパのロータを駆動させる遊星ギアボックス４１２のハウジングフランジに固定されるベースプレート６１２に固定される。内側磁石リングと外側磁石リングとの間には径方向隙間が形成される。環状導体リング６０６が隙間内に位置される。ダンパのロータは、銅などの高導電性材料の環状導体リング６０６と、導体リング６０６と同軸な中心シャフト６１４と、導体リング６０６とシャフト６１４とを接続するためのインタフェース要素とから構成される。インタフェース要素は、シャフト６１４にキー止めされ或いはスプライン結合されるフランジ６０４と、フランジ６０４及び導体リング６０６に固定される円形プレート６１６とから構成される。
【００３５】
図６Ｄは、内側及び外側磁石リング６０８，６１０の周方向セグメントを示している。また、導体リング６０６の一部も示されている。太くて黒い矢印により図６Ｄに示される磁化方向は、径方向内側と径方向外側との間で交互に入れ替わってリングの周囲で進む。外側背面鉄リング６１８が磁石の外側リングの外側に位置され、また、内側背面鉄リング６２０が磁石の内側リングの内側に位置される。外側又は内側磁石リングのいずれかの磁石のそれぞれの連続する対であって、それらの磁石間で背面鉄リングの一部と組み合わされる磁石のそれぞれの連続する対は、ホースシュー磁石を形成する。反対の極が互いに対向する状態で１つが導体リングの内側にあるとともに１つが導体リングの外側にある２つのそのようなホースシューの各対は、磁束のループをもたらす。磁束ループは、それぞれが内側磁石セグメントと外側磁石セグメントとの間に位置される２つの領域（“パッチ”）にわたって導体リングを貫通する。導体が磁場に対して回転すると、各磁束パッチ内で軸方向電界が導体中に誘導され、電界は、リングの周囲で進むと、交互の軸方向に向いて、導体リング中を流れる渦電流ループをもたらす。磁束パッチ内で軸方向に流れる電流とパッチ内の径方向磁束場との相互作用は、導体リングの接線速度と反対でこの接線速度に比例する接線方向の抵抗力を生み出し、それにより、回転磁気ダッシュポットが与えられる。
【００３６】
この例示的な実施例において、環状導体リング６０６は、内側及び外側磁石リング６０８，６１０間の径方向隙間内に嵌合する。動作時、シャフト６１４の回転は、永久磁石６０８，６１０からの固定磁場と導体リング６０６との間の接線方向の相対動作を生み出す。これは、環状導体６０６内に渦電流ループを誘導する。当該技術分野において知られるように、静磁場に対する導体の相対接線速度が更に大きくなると、確立される渦電流は導体の動きに対するより大きな抵抗を生じる。ギアボックス４１６内のステップアップギアリングは、環状導体６０６の回転速度を増幅させ、それにより、回転ダンパ６００の制振トルクが増幅される。
【００３７】
図７の斜視図は、振り子質量の質量を調整できるプロセスを示している。この例示的な実施例において、ケージ３０７を形成するスチールバーの一部は、振り子質量の大部分を形成するスチールプレート３０９を付加する或いは取り除くために除去されてしまっている。前述したように、振り子質量の質量中心から支持要素３０２までの距離は、ケージ底部３１０とモジュール質量３０８との間の距離を調整することによって調整され得る。
【００３８】
図８の斜視図は、同調質量ダンパ１００を含むスチールタワー構造体８００を示している。この例示的な実施例の構造体８００は、風に起因するタワーの揺れに脅かされ得る機械系を含むタワーである。タワーの疲れ寿命は、ＴＭＤの制振作用が無ければ、風に誘発される動きによって悪影響を受ける。この例示的な実施例において、ＴＭＤの振り子質量は、ターゲットモードの形状がＴＭＤの装着位置での単位変位に正規化されると、そのモードのモード質量の約２％である。
【００３９】
この明細書全体にわたる“１つの実施例”又は“一実施例”への言及は、実施例に関連して説明される特定の特徴、構造、又は、特性が特許請求される主題の少なくとも１つの実施例に含まれることを意味する。したがって、この明細書全体にわたる様々な個所での“１つの実施例において”又は“一実施例”という表現の出現は、必ずしも全てが同じ実施例を示しているとは限らない。また、特定の特徴、構造、又は、特性が１つ以上の実施例で組み合わされ得る。実例の実施例であると現在考えられるものについて図示して説明してきたが、当業者であれば分かるように、特許請求される主題から逸脱することなく、様々な他の改変をなすことができ、また、等価物と置き換えることができる。また、本明細書中に記載される主要概念から逸脱することなく、特定の状況を特許請求の範囲に記載される主題の教示内容に適合させるために多くの改変をなすことができる。したがって、特許請求される主題が開示される特定の実施例に限定されず、そのような特許請求される主題が添付の特許請求の範囲及びその等価物の範囲内に入る全ての実施例を含み得ることが意図される。
【図３Ａ】
2014511466.tif 000003
【図３Ｂ】
2014511466.tif 000004
【図４】
2014511466.tif 000005
【図５Ａ】
2014511466.tif 000006
【図５Ｂ】
2014511466.tif 000007
【図５Ｃ】
2014511466.tif 000008
【図６Ａ】
2014511466.tif 000009
【図６Ｂ】
2014511466.tif 000010
【図６Ｃ】
2014511466.tif 000011
【図６Ｄ】
2014511466.tif 000012
【図７】
2014511466.tif 000013
【図８】
2014511466.tif 000014
【図１】
2014511466.tif 000015
【図２】
2014511466.tif 000016
【国際調査報告】
2014511466.tif 000017
2014511466.tif 000018
2014511466.tif 000019